(57)【要約】【課題】本発明は、吸音換気口装置の突出長さを抑えることができると共にデザイン的に制約を受けることが少なく、高音域及び中音域の音の減衰を図ることができる吸音換気口装置を提供する。【解決手段】吸音換気口装置１０の第１換気本体２０の室外側には第１板部２４が形成され、第１板部２４には第１小径通気筒部２６が突設されている。第１換気本体２０の内側には第１吸音材２８が配設されている。前記吸音換気口装置１０の第２換気本体３０の屋内側には第２板部３４が形成され、第２板部３４には第２小径通気筒部３６が突設されている。第２換気本体３０の内側には第２吸音材３８が配設されている。【選択図】　　図１
2004028367.tif 000002
【特許請求の範囲】
【請求項１】
壁等に形成された取付穴に取り付けられる吸音換気口装置であって、前記取付穴に挿入されたパイプと、このパイプの一端部側に配設される第１換気本体と、この第１換気本体の一端部側に一体形成された第１板部と、この第１板部にパイプの他端部側に向かって突設されると共に開口面積が前記パイプの開口面積より小さく設定された第１小径通気筒部と、前記第１換気本体の内側に配設された第１吸音材と、前記パイプの他端部側に配設される第２換気本体と、この第２換気本体の他端部側に一体形成された第２板部と、この第２板部にパイプの一端部側に向かって突設されると共に開口面積が前記パイプの開口面積より小さく設定された第２小径通気筒部と、前記第２換気本体の内側に配設された第２吸音材と、を有してなることを特徴とする吸音換気口装置
【請求項２】
壁等に形成された取付穴に取り付けられる吸音換気口装置であって、前記取付穴に挿入されたパイプと、このパイプの一端部側に配設される第１換気本体と、この第１換気本体に形成されると共に前記パイプに挿入される第１胴部と、前記第１換気本体の一端部側に一体形成された第１板部と、この第１板部の中央に形成され第１胴部の内側に位置するように突設されると共に開口面積が前記パイプの開口面積より小さく設定された第１小径通気筒部と、前記第１胴部の内側に配設されたリング状の第１吸音材と、前記パイプの他端部側に配設される第２換気本体と、この第２換気本体に形成されると共に前記パイプに挿入される第２胴部と、前記第２換気本体の他端部側に一体形成された第２板部と、この第２板部の中央に形成され第２胴部の内側に位置するように突設されると共に開口面積が前記パイプの開口面積より小さく設定された第２小径通気筒部と、前記第２胴部の内側に配設されたリング状の第２吸音材と、を有してなることを特徴とする吸音換気口装置。
【発明の詳細な説明】
【０００１】
【発明の属する技術分野】
本発明は、主に建築物の壁等に取り付けられて換気を行うことができると共に屋外等で発生した音を減衰できる吸音換気口装置に関する。
【０００２】
【従来の技術】
建築物においては換気を行うために壁等に換気口装置が多く用いられている。
ところで、前記換気口装置は換気を行うため通気部が形成されているので、屋外で騒音等が発生すると換気口装置を介して騒音がそのまま屋内に入り込んでしまう。
そこで、騒音がそのまま屋内に入り込むのを防止するために吸音材を設けた吸音換気口装置が提案されている。
図４には外壁に取り付けられる従来の吸音換気口装置１が示されている。この吸音換気口装置１は外壁２に貫通形成された取付穴３にパイプ４を挿入し、このパイプ４の屋外側に第１換気本体５を挿入して、フード６を屋外側に配設すると共に前記第１換気本体５に取り付けている。また、前記パイプ４の屋内側に第２換気本体７を挿入して、レジスター８を屋内側に取り付けている。
ところで、吸音材は配設される吸音材の大きさ（吸音する表面積の大きさ）が大きくなると音の減衰効果が比例して大きくなる。
しかし、一般的に前記外壁２の壁厚は８０ｍｍ〜１５０ｍｍ程度であるため、パイプ４内部に吸音材を配設する場合においては吸音材の大きさを制限する必要がある。
このため、図４に示されるように前記フード６の内部に吸音材９を収容させている。
しかし、前記フード６の内部に大きな吸音材９を収容させるにはフード６を大型にする必要があるため、フード９の突出長さが長くなることにより吸音換気口装置１の全体の長さ寸法が長くなり、吸音換気口装置１の利用上に制約が生じると共にフード６のデザインに制約が生じる。
また、図５に示されるように前記第１換気本体５と第２換気本体７の間に吸音材９を配設してなる吸音換気口装置１も提案されている。
しかし、この場合においても第１換気本体５と第２換気本体７の間に大きな吸音材９を配設すると吸音換気装置１の全体の長さ寸法が長くなり、吸音換気口装置１の利用上等に制約が生じてしまう。
さらに、従来の吸音換気口装置１は音の減衰を吸音材９のみに頼っているが、吸音材９の音の減衰特性は主に高音域で性能を発揮するものであるため、従来の吸音換気口装置１では中音域での音の減衰は困難である。
【０００３】
【発明が解決しようとする課題】
本発明は上記事実に鑑みなされたものであり、吸音換気口装置の突出長さを抑えることができると共にデザイン的に制約を受けることが少なく、さらに高音域及び中音域の音の減衰を図ることができる吸音換気口装置を提供するものである。
【０００４】
【課題を解決するための手段】
請求項１の発明は、壁等に形成された取付穴に取り付けられる吸音換気口装置であって、前記取付穴に挿入されたパイプと、このパイプの一端部側に配設される第１換気本体と、この第１換気本体の一端部側に一体形成された第１板部と、この第１板部にパイプの他端部側に向かって突設されると共に開口面積が前記パイプの開口面積より小さく設定された第１小径通気筒部と、前記第１換気本体の内側に配設された第１吸音材と、前記パイプの他端部側に配設される第２換気本体と、この第２換気本体の他端部側に一体形成された第２板部と、この第２板部にパイプの一端部側に向かって突設されると共に開口面積が前記パイプの開口面積より小さく設定された第２小径通気筒部と、前記第２換気本体の内側に配設された第２吸音材と、を有してなることを特徴としている。
請求項２の発明は、壁等に形成された取付穴に取り付けられる吸音換気口装置であって、前記取付穴に挿入されたパイプと、このパイプの一端部側に配設される第１換気本体と、この第１換気本体に形成されると共に前記パイプに挿入される第１胴部と、前記第１換気本体の一端部側に一体形成された第１板部と、この第１板部の中央に形成され第１胴部の内側に位置するように突設されると共に開口面積が前記パイプの開口面積より小さく設定された第１小径通気筒部と、前記第１胴部の内側に配設されたリング状の第１吸音材と、前記パイプの他端部側に配設される第２換気本体と、この第２換気本体に形成されると共に前記パイプに挿入される第２胴部と、前記第２換気本体の他端部側に一体形成された第２板部と、この第２板部の中央に形成され第２胴部の内側に位置するように突設されると共に開口面積が前記パイプの開口面積より小さく設定された第２小径通気筒部と、前記第２胴部の内側に配設されたリング状の第２吸音材と、を有してなることを特徴としている。
【０００５】
【発明の実施の形態】
図１及び図２には本発明に係る吸音換気口装置の第１実施例が示されている。
図１に示されるように、この吸音換気口装置１０は外壁１２に貫通形成された取付穴１４に取り付けられるようになっている。この取付穴１４にはパイプ１６が嵌入状態で固定されている。前記パイプ１６の内径寸法Ａ１は１５４ｍｍに設定され、パイプ１６の長さ寸法Ａ２は１３５ｍｍに設定されている。
前記パイプ１６の屋外側（図面左側）には図２に示される第１換気本体２０が配設されている。図１に示されるように、第１換気本体２０の第１胴部２２が前記パイプ１６に同心状に挿入されている。この第１胴部２２の外周面２２Ａにはリング状のゴム製パッキン２３が取り付けられてパイプ１６と密着当接している。
また、前記第１換気本体２０の室外側には第１板部２４が形成されている。この第１板部２４の中央部には円筒状の第１小径通気筒部２６が第１胴部２２の内側に位置するように突設されている。この第１小径通気筒部２６は前記第１胴部２２と同心状に形成されている。前記第１小径通気筒部２６の内径寸法Ｂ１は５０ｍｍで、第１小径通気筒部２６の突出寸法Ｂ２は２０ｍｍに設定されている。従って、この実施例では前記第１小径通気筒部２６の開口面積Ｗ１と前記パイプ１６の開口面積Ｗ２の面積比は、約１：９になるように設定されている。
また、前記第１胴部２２の内側には第１吸音材２８が配設されている。この第１吸音材２８は公知の吸音材（例えば無機質繊維、連続気泡型発泡体等）を外形寸法が１５０ｍｍ、内径寸法が１００ｍｍ、長さ寸法が４０ｍｍのリング状に形成してなるものである。
前記パイプ１６の屋内側（図面右側）には前記第１換気本体２０と同一形状同一寸法の第２換気本体３０が配設されている。この第２換気本体３０の第２胴部３２は前記パイプ１６に同心状に挿入されている。この第２胴部３２の外周面３２Ａにはリング状のゴム製パッキン３３が取り付けられてパイプ１６と密着当接している。
また、前記第２換気本体３０の屋内側には第２板部３４が形成されている。この第２板部３４の中央部には円筒状の第２小径通気筒部３６が第２胴部３２の内側に位置するように突設されている。この第２小径通気筒部３６は前記第２胴部３２と同心状に形成されている。また、前記第２胴部３２の内側には第２吸音材３８が配設されている。なお、この第２吸音材３８も前記第１吸音材２８と同一形状同一寸法に形成されている。
前記外壁１２の屋外側にはフード４０が配設されており、このフード４０は前記第１換気本体２０の第１板部２４に係止されて固定されている。このフード４０の下部には開口４２が切り欠き形成されている。
また、前記外壁１２の屋内側には換気カバー４４が配設されて、換気カバー４４は前記第２換気本体３０の第２板部３４に取り付けられている。この換気カバー４４の上面と下面にはそれぞれ開口４６が形成されている。
【０００６】
第１実施例の吸音換気口装置１０の作用を説明する。
前記吸音換気口装置１０においては、屋外で発生した騒音はフード４０の開口４２から入り込み、前記第１板部２４の第１小径通気筒部２６を通過して第１胴部２２の内側に入る。騒音は第１小径通気筒部２６の開口面積Ｗ１よりも９倍も広い開口面積Ｗ２を持つパイプ１６の空間に一気に拡散されることにより減衰される。
また、前記第１胴部２２の内側には第１吸音材２８が配設され、前記第２胴部３２の内側には第２吸音材３８が配設されている。
従って、前記パイプ１６に入り込んで拡散により減衰された騒音は第１吸音材２８及び第２吸音材３８によっても減衰される。なお、前記第１吸音材２８及び第２吸音材３８によっては主に高音域の音の減衰が行われる。
そして、前記減衰された騒音はパイプ１６の開口面積Ｗ２に比べて１／９の開口面積Ｗ１である第２小径通気筒部３６に入ることにより、さらに減衰されて屋内に導かれる。
しかも、前記吸音換気口装置１０においては第１吸音材２８及び第２吸音材３８で高音域の減衰が行われ、吸音換気口装置１０の形状（いわゆる膨張型消音器）で中音域の減衰が行われる。
従って、吸音換気口装置１０は高音域及び中音域において音の減衰を行うことができるので、従来の吸音換気口装置に比べて音の減衰効果を一段と高めることができる。
また、前記吸音換気口装置１０は第１吸音材２８，第２吸音材３８と第１小径通気筒部２６と第２小径通気筒部３６の開口面積Ｗ１とパイプ１６の開口面積Ｗ２の比率により音の減衰を行うものであるため、吸音換気口装置１０の長さ寸法を長くする必要がない。
また、前記フード４０に吸音材を内蔵する必要がないのでフード４０を大型にしたりフード４０のデザインを制約したりすることがない。
【０００７】
図３には本発明に係る吸音換気口装置の第２実施例が示されている。なお、第１実施例の吸音換気口装置１０と同一の構成は同一の符号を用いてその説明を省略する。
図３に示されるように、第２実施例の吸音換気口装置５０は建物の第１部屋５２と第２部屋５４を仕切る間仕切壁５６に使用されるものである。
従って、この吸音換気口装置５０においては第１取付胴部２０の第１板部２４にも換気カバー４４が取り付けられている。
なお、他の構成、作用、効果は第１実施例の吸音換気口装置１０と同一であるので、その説明は省略する。
【０００８】
なお、実施例では前記第１小径通気筒部２６及び第２小径通気筒部３６の開口面積Ｗ１と前記パイプ１６の開口面積Ｗ２の面積比は、約１：９になるように設定したが、第１小径通気筒部２６及び第２小径通気筒部３６の開口面積Ｗ１と前記パイプ１６の開口面積Ｗ２の面積比は、約１：９に限定されるものでないことは勿論である。ただし、一般的には前記パイプ１６の開口面積Ｗ２は第１小径通気筒部２６及び第２小径通気筒部３６の開口面積Ｗ１の数倍から数十倍が好ましい。
また、実施例では前記パイプ１６の内径寸法Ａ１を１５４ｍｍ，長さ寸法Ａ２を１３５ｍｍに設定し、前記第１小径通気筒部２６及び第２小径通気筒部３６の内径寸法Ｂ１を５０ｍｍ，突出寸法Ｂ２を２０ｍｍに設定したが、この寸法に限定されるものでないことは勿論である。
なお、実施例では吸音換気口装置１０を外壁１２に、吸音換気口装置５０を間仕切壁５６に取り付けた例を示したが、吸音換気口装置１０，５０は外壁１２や間仕切壁５６に取り付けられるものに限定されるものではなくり天井等に取り付けてもよいことは勿論である。
【０００９】
【発明の効果】
本発明の吸音換気口装置は、第１吸音材及び第２吸音材において高音域の音の減衰を図ると共に吸音換気装置の形状で中音域の減衰を図ることができるので、音の減衰を一段と高めることができるという優れた効果を有する。
また、前記吸音換気口装置は第１吸音材を第１換気本体に内蔵し、第２吸音材を第２換気本体に内蔵するので、吸音装置の長さ寸法が長くなることがないと共にフード等のデザインを制約することがないという優れた効果を有する。
【図面の簡単な説明】
【図１】第１実施例の吸音換気口装置の縦断面図である。
【図２】第１実施例の吸音換気口装置に使用される第１換気本体の平面図である。
【図３】第２実施例の吸音換気口装置の縦断面図である。
【図４】従来の吸音換気口装置の縦断面図である。
【図５】従来の吸音換気口装置の縦断面図である。
【符号の説明】
１０　　吸音換気口装置
１６　　パイプ
２０　　第１取付胴部
２２　　第１胴部本体
２４　　第１板部
２６　　第１小径通気筒部
２８　　第１吸音材
３０　　第２取付胴部
３２　　第２胴部本体
３４　　第２板部
３６　　第２小径通気筒部
３８　　第２吸音材
４０　　フード
４４　　換気カバー
【図１】
2004028367.tif 000003
【図２】
2004028367.tif 000004
【図３】
2004028367.tif 000005
【図４】
2004028367.tif 000006
【図５】
2004028367.tif 000007